(57)【要約】【課題】データ交換装置で設定されたポイントツーポイント型の通信コネクションを介して多数のデータ端末装置間で相互にデータ通信を行う場合、ネットワーク資源の浪費を防止でき経済性に優れた通信ネットワークを提供する。【解決手段】データ交換装置９１により、ポイントツーポイント型の通信コネクションを介して相互にデータ通信を行うデータ端末装置１１，２１，３１，４１間の各通信コネクションを時分割で切替設定するものとし、この際、時分割制御部９２により、各通信コネクションのトラヒック量から計算したそれぞれの保持時間に基づき各通信コネクションを時分割で切替設定する。【選択図】  図１
2006165906.tif 000002
【特許請求の範囲】
【請求項１】
ポイントツーポイント型の通信コネクションを介して相互にデータ通信を行う複数のデータ端末装置と、これらデータ端末装置間の各通信コネクションを時分割で切替設定するデータ交換装置とを備え、
前記データ交換装置は、前記各通信コネクションの保持時間を、当該通信コネクションのトラヒック量に基づき時分割で制御する時分割制御部を有することを特徴とする通信ネットワーク。
【請求項２】
請求項１に記載の通信ネットワークにおいて、
前記各データ端末装置から各通信コネクションのトラヒック量を収集するトラヒック情報収集部と、これらトラヒック量に基づき前記保持時間を計算する保持時間計算部とを有するネットワーク制御装置をさらに備え、
前記時分割制御部は、前記ネットワーク制御装置で計算された保持時間に基づき前記各通信コネクションを時分割で切替接続する
ことを特徴とする通信ネットワーク。
【請求項３】
請求項１に記載の通信ネットワークにおいて、
前記時分割制御部は、前記データ通信装置間の接続関係を示す複数の交換テーブルを順に適用することにより複数の通信コネクションを切替設定するとともに、それぞれの交換テーブルの保持時間に基づき前記通信コネクションを時分割で切替設定し、
前記保持時間計算部は、前記各交換テーブルに関する通信コネクションのトラヒック量に基づき当該交換テーブルの保持時間を計算する
ことを特徴とする通信ネットワーク。
【請求項４】
請求項１に記載の通信ネットワークにおいて、
前記保持時間は、個々の通信コネクションで転送されるデータ量を示すトラヒック量から計算することを特徴とする通信ネットワーク。
【請求項５】
請求項１に記載の通信ネットワークにおいて、
前記保持時間は、個々の通信コネクションに対して予め要求されたデータ転送要求量を示すトラヒック量から計算することを特徴とする通信ネットワーク。
【発明の詳細な説明】
【技術分野】
【０００１】
本発明は、通信ネットワーク技術に関し、特に多数のデータ端末装置間でポイントツーポイント型の通信コネクションを介して相互にデータ通信を行うための通信ネットワーク技術に関する。
【背景技術】
【０００２】
一般に、光パスによるＤＷＤＭ（Dense Wavelength Division Multiplexing）光パス多重リンクとＯＸＣ（Optical Cross Connect）光パス交換ノードで構成される光パスネットワークでは、光パス設定についてのシグナリングが、ＧＭＰＬＳ（Generalized Multi-Protocol Label Switching）と呼ばれるアーキテクチャでＩＰ（Internet Protocol）アドレスを用いて行われている。この光パスは、ポイントツーポイント型の通信コネクションであり、光パスネットワークの端末間に設定される。
【０００３】
ＩＰネットワークでは、すべての端末に対してＩＰパケットの到達性を確保する必要がある。このため、光パスネットワークをＩＰネットワークとして運用するためには、データ交換装置となるＯＸＣで光パスを端末間にメッシュ状に設定する必要がある。
しかしながら、この方法では、端末数の増加に伴い光パス数が爆発的に増加するだけでなく、トラヒックの少ない端末間にも、広帯域な光パスを設定することになるため、通信ネットワーク全体の経済性が損なわれるという問題がある。
【０００４】
従来、このような問題を解決するために、電気ルータを設置し、この電気ルータをハブとして、光パスを端末間にハブ＆スポーク状に設定することで、すべての端末に対してＩＰパケットの到達性を確保する方法が提案されている（例えば、非特許文献１など参照）。この方法では、光パス数の増加を端末数の増加と同程度に抑えることができる。また、トラヒックの多い端末間には、カットスルー型の光パスを割り当てることで、電気ルータがボトルネックとなることを回避できる。
【０００５】
なお、出願人は、本明細書に記載した先行技術文献情報で特定される先行技術文献以外には、本発明に関連する先行技術文献を出願時までに発見するには至らなかった。
【非特許文献１】村山他、「テラビット級スーパーネットワークのアーキテクチャ設計」、電気学会、通信研究会、CMN-04-17、2004年6月
【発明の開示】
【発明が解決しようとする課題】
【０００６】
このような従来技術では、多数のデータ端末装置間でポイントツーポイント型の通信コネクションを介して相互にデータ通信を行う場合、データ交換装置で設定する通信コネクションの増加をデータ端末装置数の増加と同程度に押さえることができるものの、データ交換装置に要求されるインターフェース数が増加するため、各通信コネクションのトラヒック需要が少ない場合には、結果として通信ネットワーク全体の経済性を損ねる要因となるという問題点があった。
【０００７】
例えば、光パスネットワークをＩＰネットワークとして運用する場合、前述した従来技術によれば光パス数の増加を端末数の増加と同程度に抑えることができるものの、光パスを中継するＯＸＣには、端末数の２倍ほどの光パスインターフェースが要求される。これはＯＸＣが端末から受けた光パスを電気ルータまで中継することに起因する。
ところが、これらの電気ルータ宛の光パスは、ＩＰパケットの到達性を確保するために設定されたものであり、トラヒック需要が少ないと、その広帯域性が必ずしも有効に活かされていないことになる。したがって、通信ネットワーク全体の経済性を損ねる要因となるという問題点があった。
【０００８】
本発明はこのような課題を解決するためのものであり、データ交換装置で設定されたポイントツーポイント型の通信コネクションを介して多数のデータ端末装置間で相互にデータ通信を行う場合、ネットワーク資源の浪費を防止でき経済性に優れた通信ネットワークを提供することを目的としている。
【課題を解決するための手段】
【０００９】
このような目的を達成するために、本発明にかかる通信ネットワークは、ポイントツーポイント型の通信コネクションを介して相互にデータ通信を行う複数のデータ端末装置と、これらデータ端末装置間の各通信コネクションを時分割で切替設定するデータ交換装置とを備え、データ交換装置に、各通信コネクションの保持時間を、当該通信コネクションのトラヒック量に基づき時分割で制御する時分割制御部を有している。
【００１０】
この際、各データ端末装置から各通信コネクションのトラヒック量を収集するトラヒック情報収集部と、これらトラヒック量に基づき保持時間を計算する保持時間計算部とを有するネットワーク制御装置をさらに備え、時分割制御部で、ネットワーク制御装置で計算された保持時間に基づき各通信コネクションを時分割で切替接続するようにしてもよい。
【００１１】
あるいは、時分割制御部により、データ通信装置間の接続関係を示す複数の交換テーブルを順に適用することにより複数の通信コネクションを切替設定するとともに、それぞれの交換テーブルの保持時間に基づき通信コネクションを時分割で切替設定し、保持時間計算部により、各交換テーブルに関する通信コネクションのトラヒック量に基づき当該交換テーブルの保持時間を計算するようにしてもよい。
【００１２】
また、保持時間は、個々の通信コネクションで転送されるデータ量を示すトラヒック量から計算するようにしてもよく、あるいは、個々の通信コネクションに対して予め要求されたデータ転送要求量を示すトラヒック量から計算するようにしてもよい。
【発明の効果】
【００１３】
本発明によれば、ポイントツーポイント型の通信コネクションを介して相互にデータ通信を行うデータ端末装置間の各通信コネクションを時分割で切替設定するデータ交換装置を設け、このデータ交換装置の時分割制御部により、各通信コネクションの保持時間を、当該通信コネクションのトラヒック量に基づき時分割で制御するようにしたので、各データ端末装置について時分割で他のデータ端末装置との間でＩＰパケットの到達性を確保することができる。
【００１４】
これにより、データ端末装置間に通信コネクションをメッシュ状にさらには定常的に設定する必要がなくなり、特に光パス多重リンクと光パス交換ノードで構成される光パスネットワークをＩＰネットワークとして運用して、多数の端末を収容する大規模ネットワークを構築する場合、本発明を適用することにより、従来のフルメッシュ光パスやハブアンドスポーク光パス状配置と比べて通信コネクションの浪費を防止することができる。
【００１５】
また、各通信コネクションの保持時間については、各データ端末装置間で転送されるトラヒック量に応じて計算するようにしたので、トラック量の大きい場合には通信コネクションを長時間割り当て、トラヒック量の小さい通信コネクションには通信コネクションを短時間割り当てることができ、各通信コネクションの使用効率を高めることが可能となる。この結果、到達性を確保するために通信コネクションを設定したにもかかわらずその通信コネクションがほとんど使用されないといった状況を回避することが可能となる。
【発明を実施するための最良の形態】
【００１６】
次に、本発明の実施の形態について図面を参照して説明する。
［第１の実施の形態］
まず、図１を参照して、本発明の第１の実施の形態にかかる通信ネットワークについて説明する。図１は、本発明の第１の実施の形態にかかる通信ネットワークの構成を示すブロック図である。
この通信ネットワークは、データ端末装置１１，２１，３１，４１、データ交換装置９１、ネットワーク制御装置５１、およびこれらデータ端末装置１１，２１，３１，４１とデータ交換装置９１とを接続する光パス６１，６２，６３，６４から構成されている。
【００１７】
本実施の形態は、データ交換装置９１により、同一の送信元データ端末装置１１〜４１を起点として設定されるポイントツーポイント型の通信コネクションの終点を時分割で複数の異なる宛先データ端末装置へ切替制御することにより、各データ端末装置間１１〜４１の各通信コネクションを時分割で切替設定するとともに、各通信コネクションの保持時間を、当該通信コネクションのトラヒック量に基づき時分割で制御するようにしたものである。
【００１８】
データ端末装置１１は、全体としてデータ通信機能を有する端末装置からなり、光パス６１からなるポイントツーポイント型の通信コネクションを介してデータ交換装置９１との間でデータを送受信するデータ転送部１２、当該通信コネクションのトラヒック量を収集しネットワーク制御装置へ通知するトラヒック情報生成部１３、データ交換装置９１でのポート接続動作すなわち通信コネクションの切替設定と同期して当該通信コネクションで結ばれるデータ端末装置を送信先としてデータ転送部１２へ設定する同期制御部１４から構成されている。なお、データ端末装置２１，３１，４１についても、データ端末装置１と同様に構成されている。
【００１９】
データ交換装置９１は、光パス６１〜６４を終端するポートＡ〜Ｄ（９４〜９７）、これらポートＡ〜Ｄに収容された光パス６１〜６４間を任意に切替接続するＯＸＣ（光パス交換ノード）９３、およびネットワーク制御装置５１からの指示に基づき光パス６１〜６４間の切替接続を制御することにより各データ端末装置間の通信コネクションを時分割で切替設定するとともに、ＯＸＣ９３の切替制御と同期して各データ端末装置１１〜４１の制御を行う時分割制御部９２から構成されている。
時分割制御部９２には、各データ端末装置１１〜４１の光パスについてその接続関係を示す複数の交換テーブルが予め設定されており、これら交換テーブルからいずれか１つを順次選択し、その交換テーブルの接続関係に基づきＯＸＣ９３で光パスを切替制御する。このとき、ネットワーク制御装置５１から時分割設定テーブルで指示された各交換テーブルの保持時間に基づき、次の交換テーブルへ切替えを行う。
【００２０】
ネットワーク制御装置５１は、各データ端末装置１１〜４１から他のデータ端末装置へ向かうトラヒック量をそれぞれのデータ端末装置１〜４から収集するトラヒック情報収集部５２、収集したトラヒック量に基づきデータ交換装置９１における各交換テーブルを時分割で適用する期間長すなわち保持時間を計算し時分割設定テーブルを生成する保持時間計算部５３、およびこの時分割設定テーブルをデータ交換装置９１へ設定する光パス設定指示部５４から構成されている。
【００２１】
［第１の実施の形態の動作］
次に、図２〜５を参照して、本発明の第１の実施の形態にかかる通信ネットワークの動作について説明する。図２〜４は、交換テーブルの構成例である。図５は、時分割設定テーブルの構成例である。
【００２２】
ネットワーク制御装置５１は、トラヒック情報収集部５２により、各々のデータ端末装置１１〜４１から他のデータ端末装置１１〜４１へ向かう通信コネクションごとのトラヒック量を、データ端末装置１１〜４１のトラヒック情報生成部１３，２３，３３，４３から逐次収集する。
次に、これら収集したトラヒック量から、保持時間計算部５３により、各交換テーブルを適用した際の各通信コネクションでのトラヒック量を代表するトラヒック交流量、例えば総トラヒック量や最大トラヒック量などの統計量を交換テーブルごとに求め、これらトラヒック交流量を元にしてデータ交換装置９１により各交換テーブルを時分割で適用する際の保持時間を計算する。
【００２３】
データ交換装置９１におけるデータ端末装置１１〜４１間の接続関係は、図２〜４に示す交換テーブル７１，７２，７３で管理されており、接続ごとにその入力ポートと出力ポートの組が登録されている。
本実施の形態（図１参照）ではデータ端末装置が４つの例が示されており、この場合にはすべてのデータ端末装置間を切替接続するため、その接続関係を示す交換テーブルは３つ必要となる。これら交換テーブル７１〜７３は、予めデータ交換装置９１の時分割制御部９２に装置外部から設定され、あるいは時分割制御部９２で光パス６１〜６４の接続状態に基づき生成され、ネットワーク制御装置５１へ通知される。
【００２４】
これら交換テーブル７１〜７３で管理されている、データ端末装置１１〜４１間を結ぶ通信コネクションの保持時間は、図５に示す時分割設定テーブル７０で管理されており、交換テーブル７１〜７３ごとにその保持時間が登録されている。
ネットワーク制御装置５１は、保持時間計算部５３により、時分割設定テーブル７０の保持時間を計算する。保持時間の計算方法としては、トラヒック情報収集部５２でデータ端末装置１１〜４１から収集したトラヒック情報から交換テーブルごとに前述したトラヒック交流量を求め、これらトラヒック交流量の比率に基づき各交換テーブル７１〜７３の保持時間を計算すればよい。
【００２５】
ネットワーク制御装置５１は、このようにして保持時間計算部５３により保持時間を計算した後、光パス設定指示部５４により、各保持時間が更新された新たな時分割設定テーブル７０を時分割制御部９２へ設定する。
データ交換装置９１は、ネットワーク制御装置５１から設定された交換テーブル７１〜７３の保持時間に基づき、時分割制御部９２により各交換テーブル７１〜７３を適用する期間を管理し、その期間終了に応じて順次交換テーブルの切り替えを行う。
【００２６】
時分割制御部９２は、交換テーブルの適用変更時、各データ端末装置１１〜４１の同期制御部１４〜４４に、その交換テーブルの内容を通知する。
これにより、各データ端末装置１１〜４１は、それぞれの同期制御部１４〜４４により、通知された交換テーブルの内容に基づきデータ転送部１２〜４２に対して、当該通信コネクションで結ばれる送信先データ端末装置を選択設定し、データ転送部１２〜４２によりＯＸＣ９３の通信コネクションを介して導通しているデータ端末装置に対しデータを送信する。
【００２７】
したがって、図２〜４の交換テーブル７１〜７３を順に適用した場合、データ交換装置９１を介して接続される各データ端末装置１１〜４１の接続関係は、図６のように変遷する。図６は、交換テーブルによる各データ端末装置の接続関係の変遷を示す説明図である。
例えば、図２の交換テーブル７１を適用した場合、データ交換装置９１でポートＡとポートＢ、およびポートＣとポートＤがそれぞれ接続され、データ端末装置１１とデータ端末装置２１、およびデータ端末装置３１とデータ端末装置４１がそれぞれ接続される。同様にして、図３の交換テーブル７２を適用した場合、データ端末装置１１とデータ端末装置３１、およびデータ端末装置２１とデータ端末装置４１がそれぞれ接続され、図４の交換テーブル７３を適用した場合、データ端末装置１１とデータ端末装置４１、およびデータ端末装置２１とデータ端末装置３１がそれぞれ接続される。
【００２８】
また、例えば交換テーブル７１〜７３を適用した場合のトラヒック交流量の比率が「１：３：２」の場合、すべての交換テーブルを適用する時分割周期を６００ｍｓとすると、得られた比率で上記周期が分割され、図５の時分割設定テーブル７０に示すように、各交換テーブルの保持時間はそれぞれ１００ｍｓ、３００ｍｓ、２００ｍｓとなる。
したがって、これら交換テーブル７１〜７３は、時分割設定テーブル７０の各保持時間に基づいて図７のようにその適用が管理される。図７は、各交換テーブルの適用とその保持時間を示す説明図である。ここでは、交換テーブル７１が１００ｍｓだけ適用された後、交換テーブル７２が３００ｍｓだけ適用され、続いて交換テーブル７３が２００ｍｓだけ適用されて、１つの時分割周期が終了する。以降、同様にして各時分割周期ごとに交換テーブル７１〜７３がそれぞれの保持時間に基づき適用される。
【００２９】
このように、本実施の形態では、各データ端末装置間に設定される通信コネクションの保持時間を、当該通信コネクションのトラヒック量に基づき時分割で制御するようにしたので、各データ端末装置は、１本の通信コネクションを用いて時分割で他のデータ端末装置との間でＩＰパケットの到達性を確保することができる。これにより、通信コネクションをデータ端末装置間にメッシュ状に設定する必要がなくなり、特に光パス多重リンクと光パス交換ノードで構成される光パスネットワークをＩＰネットワークとして運用して、多数の端末を収容する大規模ネットワークを構築する場合、本発明を適用することにより、従来のフルメッシュ光パスやハブアンドスポーク光パス状配置と比べて通信コネクションの浪費を防止することができる。
【００３０】
また、各通信コネクションの保持時間については、各データ端末装置間で転送されるトラヒック量に応じて計算するようにしたので、トラック量の大きい場合には通信コネクションを長時間割り当て、トラヒック量の小さい通信コネクションには通信コネクションを短時間割り当てることができ、各通信コネクションの使用効率を高めることが可能となる。この結果、到達性を確保するために通信コネクションを設定したにも関わらずその通信コネクションがほとんど使用されないといった状況を回避することが可能となる。
【００３１】
また、データ交換装置９１で切替接続する各データ端末装置の接続関係をそれぞれ交換テーブルで管理するとともにこれら交換テーブルの適用を時分割で切替制御することにより、各データ端末装置の通信コネクションを切替接続するものとし、各データ端末装置から収集した各通信コネクションのトラヒック量から、これら交換テーブルを適用する保持時間を計算するようにしたので、各通信コネクションについて切替接続とその保持時間を、交換テーブルごとに複数の通信コネクションで一括制御でき、データ交換装置での制御処理を簡素化できる。
【００３２】
なお、本実施の形態では、交換テーブルごとに保持時間を計算し、それぞれの交換テーブルを当該保持時間ごとに切替設定する場合を例として説明したが、これに限定されるものではない。例えば、前述した交換テーブルと同様にして個々の通信コネクションごとに保持時間を計算し、それぞれの通信コネクションを当該保持時間ごとに切替設定するようにしてもよい。
【００３３】
［第２の実施の形態］
次に、図８を参照して、本発明の第２の実施の形態にかかる通信ネットワークついて説明する。図８は、本発明の第２の実施の形態にかかる通信ネットワークで用いられるデータ端末装置の構成を示すブロック図である。
本実施の形態では、保持時間を算出するのに用いる各通信コネクションのトラヒック量として、個々の通信コネクションで転送されるパケット数を用いる場合について説明する。なお、図８では、データ端末装置１１を例としてその構成を説明するが、他のデータ端末装置２１〜４１も同様の構成を有するものとする。
【００３４】
データ転送部１２は、送信先データ端末装置ごとに配置されたデータバッファ１２Ａ、１２Ｂ、１２Ｃ、データの送受信を行う端末機能部１２Ｄ、端末機能部１２Ｄから送信されたパケットの宛先情報を元に格納するデータバッファを選択するルーチング機能部１２Ｅ、データバッファ１２Ａ〜１２Ｃからパケットを読み出すスケジューラ１２Ｆ、および光パスとパケットを送受信する転送インターフェース部（以下、転送Ｉ／Ｆ部という）１２Ｇを有している。
トラヒック情報生成部１３は、データバッファのバッファ長を測定するキュー長解析機能部１３Ａを有している。
制御インターフェース部（以下、制御Ｉ／Ｆ部という）１５は、データ交換装置９１の時分割制御部９２とデータ通信を行うことにより、トラヒック情報や交換テーブルなどの各種制御情報をやり取りする。
【００３５】
［第２の実施の形態の動作］
次に、本発明の第２の実施の形態にかかる通信ネットワークの動作について説明する。
データ端末装置１１の制御Ｉ／Ｆ１５が時分割制御部９２から交換テーブルの変更通知を受け付けると、同期制御部１４がその交換テーブルを元に、当該データ端末装置１１から送信可能な送信先データ端末装置を解析し、その送信先データ端末装置へ向かうパケットが格納されているデータバッファ１２Ａ〜１２Ｃのいずれかからパケットを読み出すようスケジューラ１２Ｆへ指示する。
【００３６】
スケジューラ１２Ｆは、データバッファからパケットを読み出し、転送Ｉ／Ｆ１２Ｇへパケットを転送する。転送Ｉ／Ｆ１２Ｇは、パケットを光パス６１からなる通信コネクションへ転送する。
その後、異なる交換テーブルの変更通知を受け付けた場合、その交換テーブルの内容に基づきデータバッファ１２Ａ〜１２Ｃのいずれか異なるバッファからパケットが読み出され、転送される。
【００３７】
また、トラヒック情報生成部１３は、キュー長解析機能部１３Ａにより、各通信コネクションに対応するデータバッファ１２Ａ〜１２Ｃから当該データバッファに保持されているデータ量に相当するキュー長を取得し、ネットワーク制御装置５１のトラヒック情報収集部５２からの要求に応じて、各キュー長をそれぞれの通信コネクションのトラヒック量としてトラヒック情報収集部５２へ通知する。
これにより、ネットワーク制御装置５１の保持時間計算部５３で、各通信コネクションで転送されたデータ量に基づき各交換テーブルの保持時間が計算される。
【００３８】
このように、本実施の形態では、各データ端末装置１１〜４１のトラヒック情報生成部１３〜４３で、個々の通信コネクションで転送されるデータ量を示すトラヒック量を生成し、ネットワーク制御装置５１で、各通信コネクションのデータ量からそれぞれの交換テーブルの保持時間を計算するようにしたので、特殊なインターフェースを介してデータ端末装置のアプリケーションプロセスなどから転送データ要求量が通知されなくても、実際に各通信コネクションで転送されるデータ量に応じた正確な保持時間を計算できる。
【００３９】
［第３の実施の形態］
次に、図９を参照して、本発明の第３の実施の形態にかかる通信ネットワークついて説明する。図９は、本発明の第３の実施の形態にかかる通信ネットワークで用いられるデータ端末装置の構成を示すブロック図である。なお、図９では、データ端末装置１１を例としてその構成を説明するが、他のデータ端末装置２１〜４１も同様の構成を有するものとする。
前述した第２の実施の形態では、各通信コネクションで転送されるデータ量からなるトラヒック量に基づき保持時間を計算する場合について説明したが、本実施の形態では、各通信コネクションのパケット数に基づき保持時間を計算する場合について説明する。
【００４０】
前述の図８と比較して、本実施の形態にかかるデータ端末装置１１には、キュー長解析機能部１３Ａに代えて、通過パケット数計測部１３Ｂが設けられている。通過パケット数計測部１３Ｂは、各通信コネクションに対応するデータバッファ１２Ａ〜１２Ｃから当該データバッファを通過するパケットのパケット数を一定間隔で計測し、ネットワーク制御装置５１のトラヒック情報収集部５２からの要求に応じて、各キュー長をそれぞれの通信コネクションのトラヒック量としてトラヒック情報収集部５２へ通知する。
これにより、ネットワーク制御装置５１の保持時間計算部５３で、各通信コネクションで転送されたパケット数に基づき各交換テーブルの保持時間が計算される。
【００４１】
このように、本実施の形態では、各データ端末装置１１〜４１のトラヒック情報生成部１３〜４３で、個々の通信コネクションで転送されるパケット数を示すトラヒック量を生成し、ネットワーク制御装置５１で、各通信コネクションのパケット数からそれぞれの交換テーブルの保持時間を計算するようにしたので、特殊なインターフェースを介してデータ端末装置のアプリケーションプロセスなどから転送データ要求量が通知されなくても、実際に各通信コネクションで転送されるパケット数に応じた正確な保持時間を計算できる。
【００４２】
［第４の実施の形態］
次に、図１０を参照して、本発明の第４の実施の形態にかかる通信ネットワークついて説明する。図１０は、本発明の第４の実施の形態にかかる通信ネットワークで用いられるデータ端末装置の構成を示すブロック図である。なお、図１０では、データ端末装置１１を例としてその構成を説明するが、他のデータ端末装置２１〜４１も同様の構成を有するものとする。
前述した第２の実施の形態では、各通信コネクションで転送されるデータ量からなるトラヒック量に基づき保持時間を計算する場合について説明したが、本実施の形態では、個々の通信コネクションに対して予め要求されたデータ転送要求量を示すトラヒック量に基づき保持時間を計算する場合について説明する。
【００４３】
外部制御装置８１からデータ端末装置１１に対し、トラヒック情報通知インターフェース（以下、トラヒック情報通知Ｉ／Ｆという）１３Ｄを介してデータ転送要求量通知部１３Ｃに対し、当該データ端末装置１１から他のデータ端末装置に対するデータ転送要求量が通知される。データ転送要求量通知部１３Ｃは、制御Ｉ／Ｆ１５を介してネットワーク制御装置５１へ、そのデータ転送要求量を当該データ端末装置から他のデータ端末装置へ通信コネクションを介して転送されるトラヒック量として通知する。
これにより、ネットワーク制御装置５１の保持時間計算部５３で、各通信コネクションに要求されているデータ転送要求量に基づき各交換テーブルの保持時間が計算される。
【００４４】
このように、本実施の形態では、各データ端末装置１１〜４１のトラヒック情報生成部１３〜４３で、個々の通信コネクションで転送されるデータ量を示すトラヒック量を生成し、ネットワーク制御装置５１で、各通信コネクションに要求されているデータ転送要求量からそれぞれの交換テーブルの保持時間を計算するようにしたので、トラヒック観測データではなく、オペレーションにより与えられたデータ転送量に基づくデータ転送が可能となる。
【００４５】
さらに、送信元データ端末装置の転送データ要求量を装置外部から設定できるため、通信ネットワーク業者の意図にしたがってデータ転送量を制御することが可能となり、例えば一部のユーザが他のユーザ要求を妨げて、過剰に光パスを使用する問題を回避できる。したがって、オペレーションポリシや運用条件を容易に反映することに優れているため、ネットワーク運用の経済性をさらに向上させることができる。
【００４６】
なお、以上の各実施の形態では、各データ端末装置とデータ交換装置とが光パスを介して接続されている通信ネットワークを例として説明したが、これに限定されるものではなく、一般的なメタリック回線や無線回線など他の通信媒体で接続されている通信ネットワークに対しても本発明の各実施の形態を適用でき、前述と同様の作用効果が得られる。
【図面の簡単な説明】
【００４７】
【図１】本発明の第１の実施の形態にかかる通信ネットワークの構成を示すブロック図である。
【図２】交換テーブルの構成例である。
【図３】交換テーブルの他の構成例である。
【図４】交換テーブルの他の構成例である。
【図５】時分割テーブルの構成例である。
【図６】交換テーブルによる各データ端末装置の接続関係の変遷を示す説明図である。
【図７】各交換テーブルの適用とその保持時間を示す説明図である。
【図８】本発明の第２の実施の形態にかかる通信ネットワークで用いられるデータ端末装置の構成を示すブロック図である。
【図９】本発明の第３の実施の形態にかかる通信ネットワークで用いられるデータ端末装置の構成を示すブロック図である。
【図１０】本発明の第４の実施の形態にかかる通信ネットワークで用いられるデータ端末装置の構成を示すブロック図である。
【符号の説明】
【００４８】
１１，２１，３１，４１…データ端末装置、１２，２２，３２，４２…データ転送部、１３，２３，３３，４３…トラヒック情報生成部、１４，２４，３４，４４…同期制御部、１２Ａ，１２Ｂ，１２Ｃ…データバッファ、１２Ｄ…端末機能部、１２Ｅ…ルーチング機能部、１２Ｆ…スケジューラ、１２Ｇ…転送Ｉ／Ｆ部、１３Ａ…キュー長解析機能部、１３Ｂ…通過パケット数計測部、１３Ｃ…データ転送要求量通知部、１３Ｄ…トラヒック情報通知Ｉ／Ｆ部、１５…制御Ｉ／Ｆ部、５１…ネットワーク制御部、５２…トラヒック情報収集部、５３…保持時間計算部、５４…光パス設定指示部、６１，６２，６３，６４…光パス、７０…時分割設定テーブル、７１，７２，７３…交換テーブル、８１…外部制御装置、９１…データ交換装置、９２…時分割制御部、９３…ＯＸＣ、９４…ポートＡ、９５…ポートＢ、９６…ポートＣ、９７…ポートＤ。
【図１】
2006165906.tif 000003
【図２】
2006165906.tif 000004
【図３】
2006165906.tif 000005
【図４】
2006165906.tif 000006
【図５】
2006165906.tif 000007
【図６】
2006165906.tif 000008
【図７】
2006165906.tif 000009
【図８】
2006165906.tif 000010
【図９】
2006165906.tif 000011
【図１０】
2006165906.tif 000012